(57)【要約】      （修正有）【課題】カラー画像をグレースケールのモノクロ画像に色変換する際に、任意の色について細かい調整をすることができる画像処理装置、画像形成装置及び制御プログラムを提供する。【解決手段】情報処理装置は、ＣＰＵを有し、タッチパネル２０付きのディスプレイ２２を備える。ディスプレイには、コピー設定画面１００が表示され、コピー設定画面１００には、指定色をユーザに選択させる色選択部１４２および指定色の色変換後の濃度についての設定を調整する濃度調整部１４６が設けられる。ＣＰＵは、濃度調整部１４６で調整された指定色の色変換後の濃度の設定に応じて、カラー画像をグレースケールのモノクロ画像に色変換する。【選択図】図５
2019054357.tif 000002
【特許請求の範囲】
【請求項１】
色変換テーブルを用いて、カラー画像をグレースケールのモノクロ画像に色変換する色変換手段、
前記色変換手段で前記モノクロ画像に色変換される際に濃度の調整の対象となる指定色を設定する指定色設定手段、および
前記指定色設定手段において設定された前記指定色について、当該指定色が前記色変換手段で色変換された後の色変換後の濃度を調整する調整手段を備える、画像処理装置。
【請求項２】
前記指定色は、濃度に応じて区切られる複数の濃度領域を含み、
前記指定色の前記色変換後の濃度は、当該指定色の前記濃度領域毎に調整可能である、請求項１記載の画像処理装置。
【請求項３】
前記カラー画像に所定の調整範囲を設定する範囲設定手段をさらに備え、
前記調整手段は、前記範囲設定手段によって設定された前記調整範囲内において、前記指定色の前記色変換後の濃度を調整する、請求項１または２記載の画像処理装置。
【請求項４】
ディスプレイ、および
前記指定色をユーザに選択させるための選択画面を前記ディスプレイに表示させる表示手段をさらに備える、請求項１ないし３のいずれかに記載の画像処理装置。
【請求項５】
前記選択画面には、複数の色を含むカラーチャートが表示され、前記指定色は、当該カラーチャートに含まれる複数の色のうち、ユーザに選択された色である、請求項４記載の画像処理装置。
【請求項６】
前記選択画面には、前記カラー画像が表示され、前記指定色は、当該カラー画像においてユーザが選択した位置の色である、請求項４記載の画像処理装置。
【請求項７】
前記表示手段は、前記画像処理装置で提供されるジョブをカラーモードで実行するカラー用のスタートキーと、前記ジョブを白黒モードで実行する白黒用のスタートキーとを前記ディスプレイに表示させ、
原稿から画像をスキャンする画像読取部、
ユーザ操作に応じて、前記ジョブについての設定条件を設定する条件設定手段、および
前記画像読取部においてスキャンが実行された後に、前記条件設定手段で設定された前記設定条件に応じて、前記カラー用のスタートキーの表示態様または前記白黒用のスタートキーの表示態様を変化させる表示変化手段をさらに備える、請求項４ないし６のいずれかに記載の画像処理装置。
【請求項８】
請求項１ないし７のいずれか１項に記載の画像処理装置を備える、画像形成装置。
【請求項９】
画像形成装置の制御プログラムであって、
前記画像形成装置のプロセッサを、
色変換テーブルを用いて、カラー画像をグレースケールのモノクロ画像に色変換する色変換手段、
前記カラー画像に含まれる色のうち、前記色変換手段で前記モノクロ画像に色変換される際に濃度の調整の対象となる指定色を設定する設定手段、および
前記設定手段において設定された前記指定色について、当該指定色が前記色変換手段で前記モノクロ画像に色変換された後の色変換後の濃度を調整する調整手段として機能させる、制御プログラム。
【請求項１０】
画像形成装置のプロセッサが、
（ａ）色変換テーブルを用いて、カラー画像をグレースケールのモノクロ画像に色変換するステップ、
（ｂ）前記カラー画像に含まれる色のうち、前記ステップ（ａ）で前記モノクロ画像に色変換される際に濃度の調整の対象となる指定色を設定するステップ、および
（ｃ）前記ステップ（ｂ）で設定された前記指定色について、当該指定色が前記ステップ（ａ）で前記モノクロ画像に色変換された後の色変換後の濃度を調整するステップを実行する、制御方法。
【発明の詳細な説明】
【技術分野】
【０００１】
この発明は、画像処理装置、画像形成装置、制御プログラムおよび制御方法に関し、特にたとえば、カラー画像をグレースケールのモノクロ画像に色変換する画像処理装置、画像形成装置、制御プログラムおよび制御方法に関する。
【背景技術】
【０００２】
この種の背景技術の一例が特許文献１に開示される。背景技術の画像処理装置は、原稿の画像を読み取り、読み取った画像に基づいて単色の画像データを生成する。ここで、背景技術の画像処理装置では、単色画像データを構成する各画素の画素値に基づいて、単色画像データに含まれる蛍光色領域が抽出され、抽出された蛍光色領域に対して、視認性を高める画像処理が実施される。
【先行技術文献】
【特許文献】
【０００３】
【特許文献１】特開２０１６−１０３７４９号公報
【発明の概要】
【発明が解決しようとする課題】
【０００４】
しかしながら、背景技術の画像処理装置では、蛍光色領域のみ視認性を高める画像処理が実施されるので、蛍光色以外の色については、視認性を高める画像処理がされない。このため、背景技術の画像処理装置では、カラー画像をグレースケールのモノクロ画像に色変換する際に、蛍光色以外の色について細かい調整をすることができず、使い勝手について改善の余地がある。
【０００５】
それゆえに、この発明の主たる目的は、新規な、画像処理装置、画像形成装置、制御プログラムおよび制御方法を提供することである。
【０００６】
この発明の他の目的は、カラー画像をグレースケールのモノクロ画像に色変換する際に、任意の色について細かい調整をすることができ、使い勝手が良い、画像処理装置、画像形成装置、制御プログラムおよび制御方法を提供することである。
【課題を解決するための手段】
【０００７】
第１の発明は、色変換手段、指定色設定手段および調整手段を備える画像処理装置である。色変換手段は、色変換テーブルを用いて、カラー画像をグレースケールのモノクロ画像に色変換する。指定色設定手段は、色変換手段でモノクロ画像に色変換される際に濃度の調整の対象となる指定色を設定する。調整手段は、指定色設定手段において設定された指定色について、当該指定色が色変換手段でモノクロ画像に色変換された後の色変換後の濃度を調整する。
【０００８】
第２の発明は、第１の発明に従属する画像処理装置であって、指定色は、濃度に応じて区切られる複数の濃度領域を含み、指定色の色変換後の濃度は、当該指定色の濃度領域毎に調整可能である。
【０００９】
第３の発明は、第１または第２の発明に従属する画像処理装置であって、カラー画像に所定の調整範囲を設定する範囲設定手段をさらに備え、調整手段は、範囲設定手段によって設定された調整範囲内において、指定色の色変換後の濃度を調整する。
【００１０】
第４の発明は、第１ないし第３のいずれかの発明に従属する画像処理装置であって、ディスプレイ、および指定色をユーザに選択させるための選択画面をディスプレイに表示させる表示手段をさらに備える。
【００１１】
第５の発明は、第４の発明に従属する画像処理装置であって、選択画面には、複数の色を含むカラーチャートが表示され、指定色は、当該カラーチャートに含まれる複数の色のうち、ユーザに選択された色である。
【００１２】
第６の発明は、第４の発明に従属する画像処理装置であって、選択画面には、カラー画像が表示され、指定色は、当該カラー画像においてユーザが選択した位置の色である。
【００１３】
第７の発明は、第１ないし第６のいずれかの発明に従属する画像処理装置であって、表示手段は、画像処理装置で提供されるジョブをカラーモードで実行するカラー用のスタートキーと、ジョブを白黒モードで実行する白黒用のスタートキーとをディスプレイに表示させ、原稿から画像をスキャンする画像読取部、ユーザ操作に応じて、ジョブについての設定条件を設定する条件設定手段、および画像読取部においてスキャンが実行された後に、条件設定手段で設定された設定条件に応じて、カラー用のスタートキーの表示態様または白黒用のスタートキーの表示態様を変化させる表示変化手段をさらに備える。
【００１４】
第８の発明は、第１ないし第７のいずれかの発明の画像処理装置を備える、画像形成装置である。
【００１５】
第９の発明は、画像形成装置の制御プログラムであって、画像形成装置のプロセッサを、色変換テーブルを用いて、カラー画像をグレースケールのモノクロ画像に色変換する色変換手段、色変換手段でモノクロ画像に色変換される際に濃度の調整の対象となる指定色を設定する設定手段、および設定手段において設定された指定色について、当該指定色が色変換手段でモノクロ画像に色変換された後の色変換後の濃度を調整する調整手段として機能させる。
【００１６】
第１０の発明は、画像形成装置のプロセッサが、（ａ）色変換テーブルを用いて、カラー画像をグレースケールのモノクロ画像に色変換するステップ、（ｂ）ステップ（ａ）でモノクロ画像に色変換される際に濃度の調整の対象となる指定色を設定するステップ、および（ｃ）ステップ（ｂ）で設定された指定色について、当該指定色がステップ（ａ）でモノクロ画像に色変換された後の色変換後の濃度を調整するステップを実行する、制御方法である。
【発明の効果】
【００１７】
この発明によれば、カラー画像をグレースケールのモノクロ画像に色変換する際に、任意の色について細かい調整をすることができ、使い勝手が良い、画像処理装置、画像形成装置、制御プログラムおよび制御方法を提供することができる。
【００１８】
この発明の上述の目的，その他の目的，特徴および利点は、図面を参照して行う以下の実施例の詳細な説明から一層明らかとなろう。
【図面の簡単な説明】
【００１９】
【図１】図１はこの発明の一実施例である画像形成装置の外観構成を示す斜視図である。
【図２】図２は図１に示す画像形成装置の電気的な構成を示すブロック図である。
【図３】図３はコピー設定画面の一例を示す図解図である。
【図４】図４は機能選択部を含むコピー設定画面の一例を示す図解図である。
【図５】図５は調整部を含むコピー設定画面の一例を示す図解図である。
【図６】図６は確認部を含むコピー設定画面の一例を示す図解図である。
【図７】図７は色変換テーブルの一例を示す図解図である。
【図８】図８は色変換テーブルの一例を三次元座標で表した図解図である。
【図９】図９は図２に示す画像形成装置のＲＡＭのメモリマップの一例を示す図解図である。
【図１０】図１０は図２に示すＣＰＵの画像処理の一例を示すフロー図である。
【図１１】図１１は第２実施例における調整前のプレビュー画像を含むコピー設定画面の一例を示す図解図である。
【図１２】図１２は第２実施例における調整後のプレビュー画像を含むコピー設定画面の一例を示す図解図である。
【図１３】図１３は第２実施例における画像処理の一例の一部を示すフロー図である。
【図１４】図１４は第２実施例における画像処理の一例の一部であって、図１３に後続するフロー図である。
【図１５】図１５は第３実施例における色変換前のプレビュー画像を含むコピー設定画面の一例を示す図解図である。
【図１６】図１６は第３実施例における色変換後のプレビュー画像を含むコピー設定画面の一例を示す図解図である。
【図１７】図１７は第３実施例における画像処理の一例を示すフロー図である。
【発明を実施するための形態】
【００２０】
［第１実施例］
図１はこの発明の一実施例である画像形成装置１０の外観構成を示す斜視図である。図１を参照して、第１実施例では、画像形成装置１０は、複写機能、プリンタ機能、スキャナ機能およびファクシミリ機能などを有する複合機（ＭＦＰ：Multifunction Peripheral）である。なお、この発明は複合機だけでなく、複写機（コピー機）、印刷装置（プリンタ）およびファクシミリのような他の画像形成装置に適用可能である。
【００２１】
なお、この明細書では、ユーザの立ち位置に対向する面、つまり後述する操作パネル２６が設けられる側の面を前面（正面）として画像形成装置１０およびその構成部材の前後方向（奥行方向）を規定し、画像形成装置１０およびその構成部材の左右方向（横方向）は、ユーザから画像形成装置１０を見た状態を基準として規定する。
【００２２】
画像形成装置１０は、画像読取部３０、画像形成部３２、手差し給紙部３４、給紙装置３８および排紙トレイ４０を含む装置本体３６を備える。
【００２３】
画像読取部３０は、透明材によって形成される原稿載置台を備え、装置本体３６に内蔵される。原稿載置台の上方には、ヒンジ等を介して原稿押えカバー３０ａが開閉自在に取り付けられる。この原稿押えカバー３０ａには、手差し給紙部３４が設けられる。また、原稿押えカバー３０ａには、手差し給紙部３４に載置された原稿を自動的に給紙するＡＤＦ（自動原稿送り装置）が設けられる。
【００２４】
また、画像読取部３０は、光源、複数のミラー、結像レンズおよびラインセンサ等を備える。この画像読取部３０は、原稿表面を光源によって露光し、原稿表面から反射した反射光を複数のミラーによって結像レンズに導く。そして、結像レンズによって反射光をラインセンサの受光素子に結像させる。ラインセンサでは、受光素子に結像した反射光の輝度または色度が検出され、原稿表面の画像に基づく読取画像データが生成される。ラインセンサとしては、ＣＣＤ（Charge Coupled Device）またはＣＩＳ（Contact Image Sensor）等が用いられる。
【００２５】
画像形成部３２は、装置本体３６に内蔵され、画像読取部３０の下方に設けられる。この画像形成部３２は、感光体ドラム、帯電装置、露光装置、現像装置、転写装置および定着装置などを備える。画像形成部３２は、手差し給紙部３４または給紙装置３８等から搬送される記録媒体（用紙）上に電子写真方式によって画像を形成し、画像形成済みの用紙を排紙トレイ４０に排出する。ただし、用紙上に画像を形成するための印刷画像データとしては、画像読取部３０で読み取った読取画像データ、または外部コンピュータから送信された画像データ等が利用される。また、記録媒体としては、紙からなる用紙に限定されず、ＯＨＰフィルムなどの紙以外のシートも用いられる。
【００２６】
排紙トレイ４０は、画像読取部３０および画像形成部３２の間に設けられる。排紙トレイ４０の底面は、画像形成部３２によって区画される。また、排紙トレイ４０の天面は、画像読取部３０によって区画される。さらに、排紙トレイ４０の左側面（正面から見た左側面）は、連結筐体４２の右側面で規定される。つまり、排紙トレイ４０の前面側、背面側および左側面側は、開口する。排紙トレイ４０の底面は、連結筐体４２側に向かって下り勾配となる傾斜面を有する。
【００２７】
また、画像読取部３０の前面側には、操作パネル２６が設けられる。操作パネル２６は、タッチパネル２０付きのディスプレイ２２および複数の操作ボタン２６ａを含む。
【００２８】
タッチパネル２０付きのディスプレイ２２には、各種設定または印刷指示などをユーザから受け付けるためのソフトウェアキーおよびメッセージ等が表示される。一例として、ディスプレイ２２には、画像形成装置１０が実行可能な各種のジョブ（機能）から所望のジョブを選択するための画面であるホーム画面および各ジョブの動作条件を設定するための設定画面などの操作画面が表示される。ただし、この第１実施例では、ジョブは、コピー（原稿のスキャンを含む）、印刷およびファックスの送信などを意味する。
【００２９】
操作ボタン２６ａは、ハードウェアキーであって、たとえば、ホームキー、省電力キーおよび主電源キーなどが含まれる。ホームキーは、ホーム画面をディスプレイ２２に表示させるためのキーである。省電力キーは、消費電力が制限される省電力状態（省電力モード）と、消費電力が制限されない通常状態（通常モード）とを切り替えるためのキーである。
【００３０】
なお、ソフトウェアキーとは、たとえばタッチパネル２０付きのディスプレイ２２の表示面上にソフトウェア的に再現されたキー（アイコン）のことを言う。これに対して、ハードウェアキーとは、物理的な装置として設けられたキー（ボタン）のことを言う。
【００３１】
図２は図１に示す画像形成装置１０の電気的な構成を示すブロック図である。図２を参照して、画像形成装置１０はＣＰＵ１２を含む。ＣＰＵ１２には、バス６０を介してＲＡＭ１４、ＨＤＤ２８、タッチパネル制御回路１６、表示制御回路１８、操作ボタン検出回路２４、画像読取部３０、画像形成部３２および通信回路５０が接続される。また、タッチパネル制御回路１６にはタッチパネル２０が接続され、表示制御回路１８にはディスプレイ２２が接続され、操作ボタン検出回路２４には操作ボタン２６ａが接続される。
【００３２】
ＣＰＵ１２は、画像形成装置１０の全体的な制御を司る。ＲＡＭ１４は、ＣＰＵ１２のワーク領域およびバッファ領域として用いられる。
【００３３】
ＨＤＤ２８は、画像形成装置１０の主記憶装置（記憶部）であって、ＣＰＵ１２が画像形成装置１０の各部位の動作を制御するための制御プログラムおよび各種の画面についての表示画像データ等を適宜記憶する。ただし、ＨＤＤ２８に代えて、またはＨＤＤ２８とともに、ＳＳＤ、フラッシュメモリ、ＥＥＰＲＯＭなどの他の不揮発性メモリが用いられてもよい。
【００３４】
タッチパネル制御回路１６は、タッチパネル２０に必要な電圧などを付与するとともに、タッチパネル２０のタッチ有効範囲内でのタッチ操作（タッチ入力）を検出して、そのタッチ入力の位置を示すタッチ座標データをＣＰＵ１２に出力する。
【００３５】
タッチパネル２０は、汎用のタッチパネルであり、静電容量方式、電磁誘導方式、抵抗膜方式、赤外線方式など、任意の方式のものを用いることができる。この第１実施例では、タッチパネル２０としては、静電容量方式のタッチパネルが用いられ、ディスプレイ２２の表示面上にタッチパネル２０が設けられる。ただし、タッチパネル２０とディスプレイ２２とが一体的に形成されたタッチパネルディスプレイが用いられてもよい。
【００３６】
表示制御回路１８は、ＧＰＵおよびＶＲＡＭなどを含んでおり、ＣＰＵ１２の指示の下、ＧＰＵは、ＲＡＭ１４に記憶された画像生成データを用いてディスプレイ２２に種々の画面を表示するための表示画像データをＶＲＡＭに生成し、生成した表示画像データをディスプレイ２２に出力する。ディスプレイ２２としては、たとえばＬＣＤまたはＥＬ（Electro-Luminescence）ディスプレイなどを用いることができる。
【００３７】
操作ボタン検出回路２４は、上述した操作ボタン２６ａの操作に応じた操作信号ないし操作データをＣＰＵ１２に出力する。
【００３８】
通信回路５０は、インターネットなどのネットワークに接続するための通信回路である。この通信回路５０は、有線通信回路または無線通信回路であり、ＣＰＵ１２からの指示に従って、ネットワークを介して、サーバ等の外部コンピュータと通信する。
【００３９】
なお、図２に示す画像形成装置１０の電気的な構成は単なる一例であり、これに限定される必要はない。たとえば、各種の記録媒体（ＳＤカードまたはＵＳＢメモリなど）を装着可能な接続部（メモリスロットなど）などを備えても良い。
【００４０】
このような構成の画像形成装置１０では、カラー画像がグレースケールのモノクロ画像に変換（色変換）されることがある。たとえば、外部コンピュータから送信されたカラー画像データがモノクロ画像に色変換されて、画像形成部３２において用紙上にモノクロ画像が形成（モノクロ印刷）されたり、画像読取部３０において原稿表面のカラー画像が読み取られ、モノクロ画像に色変換された読取画像データが生成されたりする。
【００４１】
ここで、従来の画像形成装置では、モノクロ画像の画像データを構成する各画素の画素値に基づいて、カラー画像において蛍光色であった蛍光色領域が抽出され、抽出された蛍光色領域に対して、視認性を高める画像処理が実施されることがある。
【００４２】
しかしながら、従来の画像形成装置では、蛍光色以外の色については、視認性を高める画像処理がされない。このため、従来の画像形成装置では、カラー画像をグレースケールのモノクロ画像に色変換する際に、蛍光色以外の色について細かい調整をすることができず、改善の余地がある。
【００４３】
そこで、この第１実施例では、カラー画像に含まれる色のうちユーザに指定された指定色について、グレースケールに色変換された後の濃度（色変換後の濃度）を細かく調整することができるようにした。
【００４４】
以下、図３ないし図６を参照して画像形成装置１０の動作例を説明する。図３はコピー設定画面１００の一例を示す図解図である。図４は機能選択部１２０を含むコピー設定画面１００の一例を示す図解図である。図５は調整部１４０を含むコピー設定画面１００の一例を示す図解図である。図６は確認部１６０を含むコピー設定画面１００の一例を示す図解図である。
【００４５】
画像形成装置１０において、ホーム画面で所定のジョブが選択されると、画像形成装置１０のディスプレイ２２には、選択されたジョブについての動作条件を設定するための設定画面が表示される。たとえば、ホーム画面でコピージョブが選択されると、画像形成装置１０のディスプレイ２２には、図３に示すようなコピー設定画面１００が表示される。このコピー設定画面１００は、コピージョブの動作条件を設定するための画面である。なお、図３では、各種キー等が選択されていない基本状態のコピー設定画面１００を示している。
【００４６】
コピー設定画面１００には、スタートキー、リセットキー、テンキー、プレビューキー１０６および機能選択キー１０２などのソフトウェアキーが設けられる（表示される）。
【００４７】
スタートキーは、横方向に長い長方形状であり、コピー設定画面１００の右下のコーナ領域に表示されている。このスタートキーは、画像形成装置１０の所定の動作を開始させるためのキーである。また、スタートキーは、ほぼ中央で左右に分割されており、左側には白黒用のスタートキー（白黒スタートキー）１０８が、右側にはカラー用のスタートキー（カラースタートキー）１１０が設けられる。カラースタートキー１１０がタッチ（選択）されると、カラー設定に応じてカラーコピーが開始される。一方、白黒スタートキー１０８がタッチされると、白黒コピーが開始される。
【００４８】
リセットキーおよびプレビューキー１０６は、それぞれ矩形形状であり、白黒スタートキー１０８およびカラースタートキー１１０の上側に表示される。リセットキーは、コピー設定画面１００の右端に表示され、プレビューキー１０６は、リセットキーの左側（左隣）に表示される。リセットキーは、画像形成装置１０の所定の動作に関する設定を中止（初期化）させるためのキーである。たとえば、リセットキーがタッチされると、コピー設定画面１００で設定されたコピージョブの動作条件の設定が初期化される。プレビューキー１０６は、スキャンされた画像を表示（プレビュー）するためのキーである。プレビューキー１０６がタッチされると、画像読取部３０でスキャンされた画像（プレビュー画像）がディスプレイ２２に表示される。
【００４９】
テンキーは、コピー設定画面１００の中央に表示され、さらにテンキー入力表示欄がテンキーの上側に表示される。テンキーは、画像形成の処理部数を入力するためのキーである。テンキーがタッチされると、入力された内容がテンキー入力表示欄に表示される。
【００５０】
機能選択キー１０２は、矩形形状であり、コピー設定画面１００の左端に表示される。機能選択キー１０２は、複数設けられ、上下方向に並んで配置される。複数の機能選択キー１０２の各々は、コピージョブに含まれる複数の主要な機能（動作条件）の各々に対応する。具体的には、コピー設定画面１００には、カラー設定、原稿の向き、用紙選択、両面コピー、倍率、コピー濃度およびページ集約の各々についての詳細設定を行うための機能選択キー１０２が表示される。また、コピー設定画面１００には、上述した主要な機能以外の機能（他の機能）の各々についての詳細設定を行うためのその他の機能選択キー１０４が表示される。
【００５１】
その他の機能選択キー１０４がタッチされると、画像形成装置１０のディスプレイ２２には、図４に示すような機能選択部（機能選択ウインドウ）１２０が表示される。機能選択部１２０は、他の機能の各々についての詳細設定を行うための画面（ウインドウ）であり、この機能選択部１２０には、機能選択キー１２２およびＯＫキー１２４などのソフトウェアキーが設けられる。また、機能選択部１２０は、コピー設定画面１００の前面に重ねて表示され、ディスプレイ２２の表示領域の中央部および左側に亘って表示される。
【００５２】
機能選択キー１２２は、複数設けられ、機能選択部１２０の表示範囲内において上下左右方向に並んで配置される。複数の機能選択キー１０２の各々は、コピージョブに含まれる主要な機能以外の機能の各々に対応する。たとえば、機能選択キー１２２は、ユーザによって指定された任意の色（指定色）がグレースケールに色変換された後の濃度（以下、「指定色の色変換後の濃度」ということがある。）の設定を行うためのグレー変換キー１２２ａを含む。
【００５３】
ＯＫキー１２４は、各種機能の詳細設定が変更された場合に、当該詳細設定が変更された状態を適用（確定）させる機能が割り当てられたキーである。また、ＯＫキー１２４がタッチされると、機能選択部１２０が閉じられて（非表示にされて）図３に示すような基本状態のコピー設定画面１００がディスプレイ２２に表示される。
【００５４】
なお、機能選択部１２０がディスプレイ２２に表示されている間は、機能選択キー１２２またはＯＫキー１２４をタッチする以外の操作ができないようになっており、たとえばプレビューキー１０６等の機能選択部１２０以外のキーの操作はできないようになっている。
【００５５】
ここで、指定色の色変換後の濃度についての設定を行うためのグレー変換キー１２２ａがタッチされると、画像形成装置１０のディスプレイ２２には、機能選択部１２０が閉じられて、図５に示すような調整部（調整ウインドウ）１４０が表示される。調整部１４０は、指定色の色変換後の濃度についての設定を行うための画面であり、コピー設定画面１００の前面に重ねて表示される。また、調整部１４０は、機能選択部１２０と同じ位置および範囲に表示される。この調整部１４０には、色選択部１４２、濃度領域選択部１４４、濃度調整部１４６、初期化キー１４８およびＯＫキー１５０などが設けられる。
【００５６】
色選択部１４２は、指定色をユーザに選択させるために設けられる。第１実施例の色選択部１４２では、指定色の候補となる複数の色がユーザに提示される。具体的には、色選択部１４２は、複数の領域を含むカラーチャートを含む。カラーチャートに含まれる複数の領域の各々には、互いに異なる色が割り当てられている。また、複数の領域の各々は、割り当てられた色を示す文字を含むとともに、割り当てられた色に着色されている。
【００５７】
たとえば、色選択部１４２のカラーチャートは、３つの円のそれぞれの一部が互いに重なるように配置された図形を含み、この図形によって区切られる７つの領域を含む。また、７つの領域のそれぞれには、Ｒｅｄ（赤）、Ｇｒｅｅｎ（緑）、Ｂｌｕｅ（青）、Ｃｙａｎ（シアン）、Ｍａｇｅｎｔａ（マゼンタ）、Ｙｅｌｌｏｗ（イエロー）およびＷｈｉｔｅ（白）が割り当てられている。
【００５８】
また、色選択部１４２のカラーチャートに含まれる複数の領域の各々は、ソフトウェアキーとしても機能する。このため、ユーザは、所望の色が付された領域をタッチして、その領域に設定された色を指定色として選択（指定）することができる。
【００５９】
ただし、指定色が選択されると、色選択部１４２のカラーチャートにおける指定色に対応する領域は、他の領域よりも強調して表示される。
【００６０】
一方、指定色が選択されると、色選択部１４２のカラーチャートにおける指定色以外の色に対応する領域は、グレーアウト（または半透明）で表示され、無効にされる。このため、指定色以外の色に対応する領域は、仮にタッチされたとしても、選択されない状態となる。
【００６１】
たとえば、指定色としてＣｙａｎ（シアン）が選択された場合には、Ｃｙａｎ（シアン）に対応する領域では、当該領域に表示された文字が大きく表示されたり、当該領域の輪郭線が太くされたりする。一方、Ｃｙａｎ（シアン）以外の色に対応する領域は、グレーアウトで表示され、無効にされる。
【００６２】
濃度領域選択部１４４は、指定色の色変換後の濃度を調整する濃度領域をユーザに選択させるために設けられる。指定色は、濃度に応じて区切られる複数の濃度領域を含む。具体的には、指定色は、低濃度領域、中濃度領域および高濃度領域を含む。たとえば、色の濃度が０〜２５５の２５６段階の数値で表される場合には、０〜８５の数値で表される領域を低濃度領域とし、８６〜１７０の数値で表される領域を中濃度領域とし、１７１〜２５５の数値で表される領域を高濃度領域とする。
【００６３】
濃度領域選択部１４４には、低濃度領域、中濃度領域および高濃度領域のそれぞれに対応する第１調整部が表示される。各第１調整部は、上下方向に延びるバーと、バーに沿って上下方向に移動されるスライダを含む。ただし、スライダは、初期状態においては、バーの上下方向の中央に位置する。第１調整部の表示領域がタッチされると、その第１調整部が調整用の第１調整部として選択された状態となる。調整用の第１調整部として選択されると、その第１調整部のスライダが移動可能となる。このスライダは、ユーザの操作（たとえばスライド操作）または後述する濃度調整部１４６へのタッチ操作によって移動される。
【００６４】
ただし、調整用の第１調整部が選択されると、調整用の第１調整部は、その他の第１調整部よりも強調して表示される。
【００６５】
一方、調整用の第１調整部が選択されると、その他の第１調整部は、グレーアウト等で表示され、無効にされる。このため、その他の第１調整部は、仮にタッチされたとしても、選択されない状態となる。
【００６６】
たとえば、低濃度領域に対応する第１調整部が、調整用の第１調整部として選択された場合、低濃度領域に対応する第１調整部では、スライダおよびバーにその他の第１調整部とは異なる適当な色彩が付されたり、スライダが大きく表示されたり、バーを構成する線が太くされたりする。一方、中濃度領域に対応する第１調整部および高濃度領域に対応する第１調整部のそれぞれは、グレーアウトで表示され、無効にされる。
【００６７】
なお、第２実施例では、確認画面において、ジョブの設定条件に含まれる設定項目毎に変更アイコンを表示させるようにしたが、初期設定（デフォルトの設定）から変更された設定項目に対応する変更アイコンを強調して表示するようにしても良い。たとえば、初期設定から変更された設定項目に対応する変更アイコンに模様が付されたり、適当な色彩が付されたり、アイコンの輪郭線が太くされたりする。また、確認画面において、初期設定から変更された設定項目に対応する変更アイコンのみを表示されるようにしても良い。
【００６８】
各第１調整部では、スライダの位置が移動（変更）されることによって対応する濃度領域における指定色の色変換後の濃度が調整される。第１調整部のスライダの位置が下側に移動されると、色変換後の濃度が低くなる。また、第１調整部のスライダの位置が上側に移動されると、色変換後の濃度が高くなる。
【００６９】
濃度調整部１４６は、第１調整部のスライダを移動させるために設けられる。つまり、濃度調整部１４６は、指定色の色変換後の濃度を調整するために設けられる。具体的には、濃度調整部１４６は、第１キー１４６ａおよび第２キー１４６ｂを含む。第１キー１４６ａおよび第２キー１４６ｂのそれぞれは、ソフトウェアキーである。ただし、第１キー１４６ａおよび第２キー１４６ｂは、調整用の第１調整部が選択された場合に表示され、調整用の第１調整部が選択されていない場合には、非表示にされる。
【００７０】
第１キー１４６ａは、第１調整部のスライダを上側に移動させる機能が割り当てられたキーである。つまり、第１キー１４６ａは、指定色の色変換後の濃度を高くする機能が割り当てられたキーであり、第１キー１４６ａがタッチされると、調整用の第１調整部のスライダが上側に移動する。また、第２キー１４６ｂは、第１調整部のスライダを下側に移動させる機能が割り当てられたキーである。つまり、第２キー１４６ｂは、指定色の色変換後の濃度を低くする機能が割り当てられたキーであり、第２キー１４６ｂがタッチされると、調整用の第１調整部のスライダが下側に移動する。なお、第１キー１４６ａおよび第２キー１４６ｂのそれぞれには、割り当てられた機能を示す適宜の文字または図形等が記される。
【００７１】
以上のように、調整部１４０では、指定色の色変換後の濃度は、ユーザの操作（調整操作）によって複数の濃度領域毎に調整可能である。ただし、調整部１４０には、各第１調整部のスライダを一括で移動させることが割り当てられたチェックボックス１５２が設けられている。チェックボックス１５２は、ユーザのタッチ入力に応じてチェックが入れられる。このチェックボックス１５２にチェックが入った状態では、いずれかの第１調整部のスライダが移動された場合、他の第１調整部のスライダも移動されたスライダと上下方向において同じ位置に移動される。つまり、各第１調整部のスライダが一括して移動される。このことは、スライダがスライド操作で移動される場合および濃度調整部１４６へのタッチ操作で移動される場合のいずれの場合であっても同じである。
【００７２】
ＯＫキー１５０は、指定色の色変換後の濃度が調整された状態を適用（確定）させる機能が割り当てられたキーである。このＯＫキー１５０がタッチされると、指定色の色変換後の濃度の設定が確定され、調整部１４０が閉じられて（非表示にされて）図６に示すような確認部１６０がディスプレイ２２に表示される。
【００７３】
なお、機能選択部１２０がディスプレイ２２に表示されている場合と同様に、調整部１４０がディスプレイ２２に表示されている間は、調整部１４０に含まれるキー等をタッチする以外の操作ができないようになっている。
【００７４】
また、指定色は複数選択することができる。複数の指定色が選択された場合には、指定色毎に、色変換後の濃度が調整される。
【００７５】
確認部１６０は、指定色の色変換後の濃度についての設定を確認するための画面であり、コピー設定画面１００の前面に重ねて表示される。図６に示すように、確認部１６０は、調整部１４０が表示されていた位置に表示される。この確認部１６０には、第１指標画像１６２、第２指標画像１６４およびＯＫキー１６６などが設けられる。
【００７６】
第１指標画像１６２は、上述した調整部１４０の色選択部１４２のカラーチャートに対応するカラー画像である。
【００７７】
第２指標画像１６４は、第１指標画像１６２を色変換した場合のモノクロ画像に対応する画像である。ただし、第２指標画像１６４には、上述した指定色の色変換後の濃度についての設定が反映されている。このため、ユーザは、調整部１４０で自身が調整した指定色の色変換後の濃度を確認することができる。
【００７８】
そして、ＯＫキー１６６がタッチされると、確認部１６０が閉じられて（非表示にされて）図３に示すような基本状態のコピー設定画面１００がディスプレイ２２に表示される。
【００７９】
次に、カラー画像をグレースケールのモノクロ画像に色変換する方法について説明する。カラー画像は、後述する色変換テーブルに従ってグレースケールのモノクロ画像に色変換される。図７は色変換テーブルの一例を示す図解図である。図８は色変換テーブルの一例を三次元座標で表した図解図である。
【００８０】
この第１実施例では、色変換テーブルは、いわゆるルックアップテーブルである。この色変換テーブルは、予め作成され、対応するデータが画像形成装置１０のＨＤＤ２８に記憶され、画像処理が実行されるときに読み出され、ＲＡＭ１４に記憶される。
【００８１】
図７に示すように、色変換テーブルには、入力値および出力値の欄が設けられる。色変換テーブルにおける入力値とは、カラー画像における色を表す値のことである。たとえば、ＲＧＢ表色系の場合には、入力値はＲ（赤），Ｇ（緑）およびＢ（青）の３つの色素レベル（色値）を含む。３つの色素レベルの各々は８ビット（０〜２５５）で表現される。このためＲＧＢ表色系の場合には、入力値の欄には、３つの色素レベルによって表現される１６，７７７，２１６色の各々を表す値が所定の順番で記述される。また、ＲＧＢ表色系の場合には、図８に示すように、３つの色素レベルを三次元座標で表すと、１辺の長さが２５５で表される立方体の範囲内で全ての色が表される。
【００８２】
色変換テーブルにおける出力値とは、入力値（カラー画像における色）の各々に対応するグレースケールのモノクロ画像における濃度（階調）を表す値のことであり、入力値毎に予め設定されている。この出力値は、８ビット（０〜２５５）で表現される。ただし、黒色（最も暗い色）を“０”とし、白色（最も明るい色）を“２５５”とする２５６段階の数値で表される。つまり、第１実施例の色変換テーブルでは、出力値が小さいほど、濃度が高くなる。なお、この色変換テーブルでは、異なる色（入力値）であっても、出力値が同じ数値になることがある。
【００８３】
たとえば、第１実施例の色変換テーブルでは、赤（Ｒ，Ｇ，Ｂ＝２５５，０，０）に対応する出力値は７７であり、緑（Ｒ，Ｇ，Ｂ＝０，２５５，０）に対応する出力値は１５０であり、青（Ｒ，Ｇ，Ｂ＝０，０，２５５）に対応する出力値は２８である。また、イエロー（Ｒ，Ｇ，Ｂ＝２５５，２５５，０）に対応する出力値は２２７であり、シアン（Ｒ，Ｇ，Ｂ＝０，２５５，２５５）に対応する出力値は１７９であり、マゼンタ（Ｒ，Ｇ，Ｂ＝２５５，０，２５５）に対応する出力値は１０５である。さらに、上述した以外の色では、たとえば、薄い黄緑（Ｒ，Ｇ，Ｂ＝２００，２５５，１２８）に対応する出力値は２２５である。
【００８４】
指定色の色変換後の濃度が調整された場合には、当該指定色の出力値および指定色付近の色の出力値が調整される。ただし、指定色付近の色とは、指定色に近い色のことであり、図７に示す色変換テーブルにおいて指定色の付近（上下隣り）に記述されている色のことではなく、図８に示す三次元座標において指定色の付近（たとえば指定色の隣ないし近傍）に位置する色のことを意味する。また、指定色の付近に位置する色とは、たとえば三次元座標における指定色の座標からの距離が１０以内の座標に対応する色を意味する。
【００８５】
たとえば、上述した薄い黄緑（Ｒ，Ｇ，Ｂ＝２００，２５５，１２８）が指定色として選択され、色変換後の濃度が高くなるように調整された場合には、当該指定色の出力値の数値が小さくなるように調整される。つまり、当該指定色の出力値に所定の調整値だけ減算される。たとえば、当該指定色の出力値が２２５から２００に２５だけ減算される。また、指定色付近の色については、指定色からの近さに応じて、出力値が小さくなるように調整される。ただし、指定色付近の色の調整値は、指定色の調整値よりもその絶対値が小さくなるように（調整幅が小さくなるように）設定される。たとえば、指定色の出力値が２５だけ減算された場合には、指定色に隣接する色に対応する出力値は、１５だけ減算される。また、指定色に隣接する色に隣接する色に対応する出力値は、５だけ減算される。このように、指定色を中心に、指定色付近の色の色変換後の濃度が段階的に（なだらかに）調整される。
【００８６】
また、詳細な説明は省略するが、色変換後の濃度が低くなるように調整された場合には、指定色および指定色付近の色に対応する出力値の数値が大きくなるように調整される。
【００８７】
そして、カラー画像がグレースケールのモノクロ画像に色変換される際には、カラー画像に含まれる色のうち、指定色および指定色付近の色以外の色については、色変換テーブルの出力値が適用され、指定色および指定色付近の色については、調整された数値（調整後出力値）が適用される。このため、指定色の色変換後の濃度についての設定が反映されたモノクロ画像が生成される。
【００８８】
なお、指定色の色変換後の濃度についての設定は、画像形成装置１０の主電源がオフにされたとき、所定のジョブが終了したとき、または画像形成装置１０が省電力モードに切り替わったときなどに削除される。つまり、指定色の色変換後の濃度についての設定が初期化される。
【００８９】
画像形成装置１０の上記のような動作は、ＣＰＵ１２がＲＡＭ１４に記憶された制御プログラムを実行することによって実現される。具体的な処理については、後でフロー図を用いて説明する。
【００９０】
図９は図２に示す画像形成装置１０のＲＡＭ１４のメモリマップ７０の一例を示す図解図である。図９に示すように、ＲＡＭ１４は、プログラム記憶領域７２およびデータ記憶領域７４を含む。ＲＡＭ１４のプログラム記憶領域７２には、上述したように、制御プログラムが記憶される。制御プログラムは、表示プログラム７２ａ、操作検出プログラム７２ｂ、通信プログラム７２ｃ、色変換プログラム７２ｄ、指定色設定プログラム７２ｅ、調整プログラム７２ｆ、画像読取プログラム７２ｇおよび画像形成プログラム７２ｈを含む。
【００９１】
表示プログラム７２ａは、ＧＰＵを制御して、後述する画像生成データ７４ｂを用いて、ホーム画面またはコピー設定画面１００などの各種の画面に対応する表示画像データを生成し、ディスプレイ２２に出力するためのプログラムである。
【００９２】
操作検出プログラム７２ｂは、画像形成装置１０の各部への操作を検出するためのプログラムである。たとえば、操作検出プログラム７２ｂは、タッチパネル２０から出力されたタッチ座標データを取得して、ディスプレイ２２に表示される各種の画面に含まれるソフトウェアキーが操作されたことを検出するためのプログラムである。また、操作検出プログラム７２ｂは、操作ボタン２６ａからの操作入力を検出するためのプログラムでもある。
【００９３】
通信プログラム７２ｃは、外部のコンピュータなどと、ネットワークを介して通信するためのプログラムである。
【００９４】
色変換プログラム７２ｄは、色変換テーブルを参照して、カラー画像をグレースケールのモノクロ画像に色変換するためのプログラムである。具体的には、色変換テーブルを参照して、カラー画像に含まれる色に対応する入力値に応じて、グレースケールのモノクロ画像における濃度を表す出力値を出力するためのプログラムである。ただし、色変換プログラム７２ｄは、後述する調整後出力値データ７４ｅが存在する場合には、色変換テーブルに記述された出力値に代えて、調整後出力値データ７４ｅが示す数値（調整後出力値）を出力するためのプログラムである。
【００９５】
指定色設定プログラム７２ｅは、調整部１４０に表示された色選択部１４２のカラーチャートなどの画像において、操作検出プログラム７２ｂに従って検出されたタッチ座標データが示すタッチ位置に対応する表示位置の色を所定のルールに従って取得し、ユーザの操作に従って、取得した色を、指定色として設定するためのプログラムである。
【００９６】
調整プログラム７２ｆは、調整部１４０に表示された濃度領域選択部１４４の各第１調整部におけるスライダの位置に応じて、指定色および指定色付近の色の色変換後の濃度（指定色および指定色付近の色に対応する出力値）を調整するための調整後出力値データ７４ｅを生成するプログラムである。
【００９７】
画像読取プログラム７２ｇは、画像読取部３０を制御して、原稿載置台に載置された原稿の画像を読み取り（スキャンし）、読み取った画像に対応する画像信号（スキャン画像データ）を出力するためのプログラムである。
【００９８】
画像形成プログラム７２ｈは、画像形成部３２を制御して、出力画像データ７４ｇなどの画像データに応じて多色または単色の画像を記録媒体（用紙）に形成するためのプログラムである。
【００９９】
なお、図示は省略するが、プログラム記憶領域７２には、画像形成装置１０が備える各種の機能を選択および実行するためのプログラムなども記憶される。
【０１００】
ＲＡＭ１４のデータ記憶領域７４には、操作入力データ７４ａ、画像生成データ７４ｂ、テーブルデータ７４ｃ、指定色データ７４ｄ、調整後出力値データ７４ｅ、入力画像データ７４ｆおよび出力画像データ７４ｇなどのデータが記憶される。
【０１０１】
操作入力データ７４ａは、たとえば操作検出プログラム７２ｂに従って検出（取得）されたタッチ座標データまたは／および操作データである。検出されたタッチ座標データまたは／および操作データは、時系列に従って記憶される。
【０１０２】
画像生成データ７４ｂは、ディスプレイ２２に表示される、ホーム画面およびコピー設定画面１００などの各種の画面に対応する表示画像データを生成するためのポリゴンデータまたはテクスチャデータ等のデータである。また、画像生成データ７４ｂには、ソフトウェアキーの画像データ等も含まれる。
【０１０３】
テーブルデータ７４ｃは、上述した色変換テーブルのデータを含む。ただし、このテーブルデータ７４ｃは、たとえば、画像形成装置１０のＨＤＤ２８に記憶されている。テーブルデータ７４ｃは、画像形成装置１０のＨＤＤ２８から読み出され、ＲＡＭ１４に記憶される。
【０１０４】
指定色データ７４ｄは、色変換テーブルに記述された入力値で表される色のうち、指定色を特定（識別）するためのデータである。具体的には、ＲＧＢ表色系の場合には、３つの色素レベルのそれぞれの数値を含むデータである。また、指定色データ７４ｄは、指定色付近の色を特定するためのデータを含む。
【０１０５】
調整後出力値データ７４ｅは、調整プログラム７２ｆに従って生成される指定色および指定色付近の色に対応する出力値を調整した数値データである。なお、調整後出力値データ７４ｅは、画像形成装置１０の主電源がオフにされたとき、所定のジョブが終了したとき、または画像形成装置１０が省電力モードに切り替わったときなどに削除される。
【０１０６】
入力画像データ７４ｆは、グレースケールのモノクロ画像に色変換される基になるカラー画像に対応する画像データである。たとえば、入力画像データ７４ｆは、画像読取部３０で読み取った読取画像データ、または外部コンピュータから送信された画像データ等の画像データ等である。
【０１０７】
出力画像データ７４ｇは、色変換プログラム７２ｄに従って、入力画像データ７４ｆに対応するカラー画像が色変換されたモノクロ画像に対応する画像データである。
【０１０８】
なお、図示は省略するが、データ記憶領域７４には、制御プログラムの実行に必要な他のデータが記憶されたり、制御プログラムの実行に必要なタイマ（カウンタ）およびレジスタが設けられたりする。
【０１０９】
図１０は図２に示すＣＰＵ１２の画像処理の一例を示すフロー図である。この画像処理は、ホーム画面で所定のジョブが選択されたときに開始される。
【０１１０】
図１０に示すように、ＣＰＵ１２は、画像処理を開始すると、ステップＳ１で、グレー変換についての設定（指定色の色変換後の濃度についての設定）を行うかどうかを判断する。ここでは、グレー変換キー１２２ａが選択されたかどうかが判断される。ステップＳ１で“ＮＯ”であれば、つまり、指定色の色変換後の濃度についての設定を行わないと判断した場合は、ステップＳ３で、その他の処理を実行して、画像処理を終了する。ステップＳ３で実行されるその他の処理としては、ユーザの指示に従って各ジョブが選択される処理、各ジョブにおける各種の設定が行われる処理、および各ジョブが開始または停止される処理が該当する。
【０１１１】
また、ステップＳ１で“ＹＥＳ”であれば、つまり、指定色の色変換後の濃度についての設定を行うと判断した場合は、ステップＳ５で、調整部１４０をディスプレイ２２に表示して、ステップＳ７で、指定色が選択されたかどうかを判断する。ここでは、カラーチャートに含まれる複数の領域のいずれかが選択されたかどうかを判断する。
【０１１２】
ステップＳ７で“ＮＯ”であれば、つまり、指定色が選択されないと判断した場合は、ステップＳ７に戻る。一方、ステップＳ７で“ＹＥＳ”であれば、つまり、指定色が選択されたと判断した場合は、ステップＳ９で、指定色を設定して、ステップＳ１１で、調整操作を受け付けて、ステップＳ１３に進む。ステップＳ１１では、ユーザの調整操作に応じて、調整部１４０の表示内容（たとえば第１調整部のスライダの位置など）を変化させる。続いて、ステップＳ１３で、調整が完了したかどうかを判断する。ここでは、調整部１４０においてＯＫキー１５０が選択されたかどうかを判断する。
【０１１３】
ステップＳ１３で“ＮＯ”であれば、つまり、調整が完了していないと判断した場合は、ステップＳ１１に戻る。一方、ステップＳ１３で“ＹＥＳ”であれば、つまり、調整が完了したと判断した場合は、ステップＳ１５で、調整後出力値データ７４ｅを生成して、ステップＳ１７で、確認部１６０をディスプレイ２２に表示して、ステップＳ１９で、画像処理を終了するかどうかを判断する。ここでは、確認部１６０においてＯＫキー１６６が選択されたかどうかを判断する。
【０１１４】
ステップＳ１９で“ＮＯ”であれば、つまり、画像処理を終了しないと判断した場合は、ステップＳ１９に戻る。一方、ステップＳ１９で“ＹＥＳ”であれば、つまり、画像処理を終了すると判断した場合は、画像処理を終了する。
【０１１５】
この第１実施例によれば、ユーザによって指定された指定色について、グレースケールに色変換された後の濃度を細かく調整することができるようにしたので、調整の自由度が増し、使い勝手が良い。たとえば、蛍光色などの薄い色の色変換後の濃度を高くして、視認性を高めるだけでなく、任意の色の色変換後の濃度を低くして、グレースケールに色変換されたときに見えないようにすることもできる。
【０１１６】
また、第１実施例によれば、指定色の色変換後の濃度は、指定色の濃度領域毎に調整可能であるので、指定色の色変換後の濃度の設定をより細かく調整することができる。
【０１１７】
さらに、第１実施例では、調整部１４０において、指定色の候補となる複数の色をユーザに提示するようにしたので、指定色として指定したい色を視覚的に認識することができる。また、調整部１４０では、指定色の候補が蛍光色に限定されないので、自由に指定色を指定することができる。
【０１１８】
さらにまた、第１実施例では、ユーザは、色選択部１４２のカラーチャートにおいて所望の色が付された領域をタッチして、その領域に設定された色を指定色として指定することができる。このため、指定色として指定したい色を視覚的に認識することができるし、指定色を指定し易い。
【０１１９】
なお、上述した第１実施例では、第１調整部のスライダの位置に応じて指定色の色変換後の濃度が調整されるようにしたが、これに限定される必要は無い。たとえば、上述したようなスライドバーに代えて、第１調整部にテキストボックスを設け、テンキーがタッチされることなどによってテキストボックスに入力される数値に応じて指定色の色変換後の濃度が調整されるようにしても良い。たとえば、テキストボックスに入力される数値の幅を“０”から“２５５”とし、この数値が小さいほど指定色の色変換後の濃度が高くなり、数値が大きいほど指定色の色変換後の濃度が低くなるようにしても良い。このようにすれば、指定色の色変換後の濃度についての設定をより細かく調整することができる。
【０１２０】
また、上述した第１実施例では、色選択部１４２のカラーチャートからユーザに指定色を選択させるようにしたが、これに限定される必要は無い。たとえば、調整部１４０に蛍光色を指定色として選択することが割り当てられた蛍光色用のチェックボックスを設け、この蛍光色用のチェックボックスにチェックが入れられることによって、蛍光色が指定色として選択されるようにしても良い。この場合、色変換前のカラー画像に蛍光色が含まれているか否かを自動的に判別し、色変換前のカラー画像に含まれている蛍光色を指定色として選択されるようにしても良い。なお、色変換前のカラー画像に蛍光色が含まれているか否かを判別する方法としては、本出願人による特開２００４−３５７０１０号公報に記載されている方法等を用いることができる。
【０１２１】
さらに、上述した第１実施例では、第１キー１４６ａおよび第２キー１４６ｂが、調整用の第１調整部が選択された場合に表示されるようにしたが、これに限定される必要は無い。たとえば、調整部１４０が表示される場合に、第１キー１４６ａおよび第２キー１４６ｂが、最初から表示されるようにしても良い。
［第２実施例］
第２実施例の画像形成装置１０では、スキャンされた画像をプレビューする際に、指定色の色変換後の濃度についての設定を調整することができるようにした以外は第１実施例と同じであるため、第１実施例と異なる内容について説明し、重複した説明については省略することにする。
【０１２２】
図１１は第２実施例における調整前のプレビュー画像１８０を含むコピー設定画面１００の一例を示す図解図である。図１２は第２実施例における調整後のプレビュー画像１８０を含むコピー設定画面１００の一例を示す図解図である。
【０１２３】
第２実施例では、コピー設定画面１００においてプレビューキー１０６が選択されると、画像読取部３０で原稿がスキャンされる。
【０１２４】
ただし、第２実施例では、原稿のスキャン後に、コピージョブの設定条件の１つであるカラー設定を選択するための操作画面がディスプレイ２２に表示される。たとえば、白黒コピーを実行する“白黒モード”に対応する白黒用アイコンと、カラーコピーを実行する“カラーモード”に対応するカラー用アイコンとを含むカラー設定画面がディスプレイ２２に表示されるようにしても良い。また、カラー設定画面に代えて、コピー設定画面１００に白黒用アイコンおよびカラー用アイコンが設けられるようにしても良い。
【０１２５】
そして、白黒用アイコンおよびカラー用アイコンのいずれかがタッチされると、タッチされたアイコンに対応するカラー設定が選択される。
【０１２６】
カラー設定が選択されると、図１１に示すように、スキャンされた画像（プレビュー画像）１８０がディスプレイ２２に表示される。
【０１２７】
プレビュー画像１８０は、コピー設定画面１００の前面に重ねて表示され、ディスプレイ２２の表示領域の中央部に表示される。ただし、図１１に示す例では、カラー設定が“白黒モード”に設定されている。この場合、原稿表面の画像がカラー画像であった場合には、そのカラー画像に基づいて色変換されたグレースケールのモノクロ画像がプレビュー画像１８０として表示される。ここで、プレビューキー１０６が選択されてから最初に表示されるプレビュー画像１８０は、指定色の色変換後の濃度についての設定が行われていないので、調整されることなく色変換テーブルに従って色変換されたモノクロ画像である。
【０１２８】
また、プレビュー画像１８０がディスプレイ２２に表示されると、コピー設定画面１００には、指定色の色変換後の濃度についての設定を行うためのグレー変換キー１８２が表示される。グレー変換キー１８２には、第１実施例で説明したグレー変換キー１２２ａと同じ機能が割り当てられている。
【０１２９】
ここで、グレー変換キー１８２が選択されると、第１実施例で説明した調整部１４０がディスプレイ２２に表示され、指定色の色変換後の濃度についての設定を行うことができる。なお、指定色の色変換後の濃度についての設定方法は、第１実施例と同じであるので説明を省略する。そして、指定色の色変換後の濃度についての設定が完了し、確認部１６０においてＯＫキー１６６がタッチされると、確認部１６０が閉じられて、図１２に示すように、プレビュー画像１８０がディスプレイ２２に表示される。プレビュー画像１８０には、指定色の色変換後の濃度についての設定が反映されたモノクロ画像が表示される。
【０１３０】
ここで、コピー設定画面１００で白黒スタートキー１０８が選択されると、コピージョブが実行される。ただし、コピージョブでは、指定色の色変換後の濃度についての設定が反映されたモノクロ画像の画像データが印刷画像データとして用いられる。また、指定色の色変換後の濃度についての設定が調整された後も、グレー変換キー１８２は表示されている。このため、グレー変換キー１８２を選択して、再度指定色の色変換後の濃度についての設定を行うこともできる。
【０１３１】
ただし、この第２実施例では、カラー設定に応じて、白黒スタートキー１０８の表示態様またはカラースタートキー１１０の表示態様が変化される。たとえば、図１１に示す例では、カラー設定が“白黒モード”に設定されているので、カラースタートキー１１０は、グレーアウトで表示される。なお、カラー設定が“白黒モード”に設定されている場合、カラースタートキー１１０を通常の表示またはグレーアウトで表示し、白黒スタートキー１０８が強調して表示されるようにしても良い。また、カラー設定が“カラーモード”に設定されている場合には、白黒スタートキー１０８がグレーアウトで表示されたり、カラースタートキー１１０が強調して表示されたりしても良い。さらに、白黒スタートキー１０８およびカラースタートキー１１０は、グレーアウトで表示される場合、仮にタッチされたとしても、選択されない状態となるようにしても良い。
【０１３２】
以下、フロー図を用いて、第２実施例における画像処理について説明するが、第１実施例で説明した画像処理と同じ処理については同じ参照符号を付し、重複した内容については、説明を省略するまたは簡単に説明することにする。
【０１３３】
図１３は第２実施例における画像処理の一例の一部を示すフロー図である。図１４は第２実施例における画像処理の一例の一部であって、図１３に後続するフロー図である。図１３に示すように、ＣＰＵ１２は、画像処理を開始すると、ステップＳ３１でプレビューを実行するかどうかを判断する。ここでは、コピー設定画面１００においてプレビューキー１０６が選択されたかどうかを判断する。
【０１３４】
ステップＳ３１で“ＮＯ”であれば、つまり、プレビューを実行しないと判断した場合は、プレビューを実行せずに、ステップＳ１に進む。一方、ステップＳ３１で“ＹＥＳ”であれば、つまり、プレビューを実行すると判断した場合は、ステップＳ３３で、原稿のスキャンを実行して、ステップＳ３５で、プレビュー画像１８０をディスプレイ２２に表示して、ステップＳ１に進む。
【０１３５】
また、図１４に示すように、ＣＰＵ１２は、ステップＳ１９で“ＹＥＳ”であれば、ステップＳ３７で、プレビューを実行するかどうかを判断する。ここでは、ステップＳ３５で、プレビュー画像１８０をディスプレイ２２に表示していたかどうかを判断する。ステップＳ３７で“ＮＯ”であれば、つまり、プレビューを実行しないと判断した場合は、プレビューを実行せずに、画像処理を終了する。一方、ステップＳ３７で“ＹＥＳ”であれば、つまり、プレビューを実行すると判断した場合は、ステップＳ３９で、指定色の色変換後の濃度についての設定が反映されたプレビュー画像１８０をディスプレイ２２に表示して、画像処理を終了する。
【０１３６】
なお、ステップＳ１からステップＳ１９までの処理の内容については、第１実施例と同じであるので説明を省略する。
【０１３７】
この第２実施例によれば、スキャンされた画像をプレビューする際に、指定色の色変換後の濃度についての設定を細かく調整することができるようにしたので、使い勝手が良い。
【０１３８】
また、第２実施例によれば、指定色の色変換後の濃度についての設定が反映されたプレビュー画像が表示されるので、ユーザは、プレビュー画像を確認しながら指定色の色変換後の濃度についての設定を調整することができる。
【０１３９】
なお、上述した第２実施例では、第１実施例と同様に色選択部１４２のカラーチャートから指定色を選択するようにしたが、これに限定される必要は無い。たとえば、プレビュー画像１８０に表示されるカラー画像において、ユーザが選択した任意の位置の色を指定色として指定するようにしても良い。このようにすれば、実際にカラー画像に含まれる色を指定色として指定することができるので、より適切に色変換後の濃度についての設定を調整することができる。また、色選択部１４２のカラーチャートに含まれない色についても色変換後の濃度についての設定を行うことができるので、調整の自由度が増す。
［第３実施例］
第３実施例の画像形成装置１０では、カラー画像に調整範囲を設定し、当該調整範囲の範囲内において、指定色の色変換後の濃度についての設定を反映させるようにした以外は第２実施例と同じであるため、第２実施例と異なる内容について説明し、重複した説明については省略することにする。
【０１４０】
図１５は第３実施例における色変換前のプレビュー画像２００を含むコピー設定画面１００の一例を示す図解図である。図１６は第３実施例における色変換後のプレビュー画像２２０を含むコピー設定画面１００の一例を示す図解図である。
【０１４１】
第３実施例では、コピー設定画面１００においてプレビューキー１０６が選択されると、画像読取部３０で原稿がスキャンされ、図１５に示すように、スキャンされた画像（プレビュー画像）２００がディスプレイ２２に表示される。ただし、プレビュー画像２００は、モノクロ画像に色変換される前の画像であり、画像読取部３０でスキャンされたカラー画像がプレビュー画像２００として表示される。
【０１４２】
また、プレビュー画像２００がディスプレイ２２に表示されると、コピー設定画面１００には、グレー変換キー２０２および範囲設定キー２０４が設けられる。グレー変換キー２０２には、第１実施例で説明したグレー変換キー１２２ａと同じ機能が割り当てられている。この範囲設定キー２０４は、指定色の色変換後の濃度についての設定を反映させる調整範囲２０６をプレビュー画像２００に設定する機能が割り当てられている。この範囲設定キー２０４が選択されると、調整範囲２０６を設定することができる状態となる。
【０１４３】
たとえば、調整範囲２０６を設定する方法としては、ユーザがプレビュー画像２００の表示範囲内の２点をタッチして範囲を指定できるようにしても良いし、プレビュー画像２００に調整範囲２０６を示す枠を表示させ、ユーザが枠の大きさを変えたり移動させたりして範囲を指定できるようにしても良い。このように、ユーザのタッチ入力によって調整範囲２０６が設定される。
【０１４４】
また、画像形成装置１０においてカラー画像に含まれるオブジェクト（たとえば印鑑、バーコード、二次元コードおよび各種マーク等）を認識することができる場合には、当該オブジェクトの表示範囲を含む範囲が、調整範囲２０６として自動的に設定されるようにしても良い。
【０１４５】
そして、調整範囲２０６が設定された後に、グレー変換キー２０２が選択され、指定色の色変換後の濃度についての設定が調整された場合、指定色の色変換後の濃度についての設定が反映されたプレビュー画像２２０がディスプレイ２２に表示される。ただし、プレビュー画像２２０は、画像読取部３０でスキャンされたカラー画像（プレビュー画像２００）に基づいて色変換されたグレースケールのモノクロ画像である。ここで、プレビュー画像２２０では、指定色の色変換後の濃度についての設定は、調整範囲２０６の範囲内に限り適用される。つまり、指定色の色変換後の濃度についての設定は、調整範囲２０６の範囲外には適用されない。
【０１４６】
たとえば、図１５に示すように、プレビュー画像の上部に記載された“ａｂｃｄｅｆ”の文字を含むように調整範囲２０６が設定され、色変換後の濃度が低くなるように指定色の色変換後の濃度についての設定が調整された場合には、図１６に示すように、調整範囲２０６に含まれる“ａｂｃｄｅｆ”の色変換後の濃度が低くなる。ただし、調整範囲２０６以外の範囲については、調整されることなく色変換テーブルに従って色変換される。
【０１４７】
以下、フロー図を用いて、第３実施例における画像処理について説明するが、第２実施例で説明した画像処理と同じ処理については同じ参照符号を付し、重複した内容については、説明を省略するまたは簡単に説明することにする。
【０１４８】
図１７は第２実施例における画像処理の一例の一部を示すフロー図である。図１７に示すように、ＣＰＵ１２は、画像処理を開始すると、ステップＳ３３で、原稿のスキャンを実行して、ステップＳ５１で、色変換される前のプレビュー画像２００をディスプレイ２２に表示して、ステップＳ５３で、調整範囲２０６を設定するかどうかを判断する。ここでは、範囲設定キー２０４が選択されたかどうかを判断する。
【０１４９】
ステップＳ５３で“ＮＯ”であれば、つまり、調整範囲２０６を設定しないと判断した場合は、調整範囲２０６を設定せずに、ステップＳ１に進む。一方、ステップＳ５３で“ＹＥＳ”であれば、つまり、調整範囲２０６を設定すると判断した場合は、ステップＳ５５で、調整範囲２０６が設定されたかどうかを判断する。
【０１５０】
ステップＳ５５で“ＮＯ”であれば、つまり、調整範囲２０６が設定されない場合には、同じステップＳ５５に戻る。一方、ステップＳ５５で“ＹＥＳ”であれば、つまり、調整範囲２０６が設定された場合には、ステップＳ５７で、調整範囲２０６を設定して、ステップＳ１に進む。
【０１５１】
なお、ステップＳ３１およびステップＳ１以降の処理の内容については、第１実施例および第２実施例と同じであるので説明を省略する。ただし、ステップＳ５７で調整範囲２０６が設定された場合には、ステップＳ１５では、調整範囲２０６の範囲内において調整後出力値データ７４ｅが生成される。つまり、調整範囲２０６の範囲外においては、調整後出力値データ７４ｅが生成されない。
【０１５２】
この第３実施例によれば、カラー画像に調整範囲２０６を設定し、当該調整範囲２０６の範囲内において、指定色の色変換後の濃度を調整するようにしたので、指定色の色変換後の濃度についての設定を行う際の調整の自由度が増し、使い勝手が良い。
【０１５３】
なお、上述した第３実施例では、調整範囲２０６が設定された後、第１実施例および第２実施例と同様に指定色の色変換後の濃度についての設定が調整される例について説明したが、これに限定される必要は無い。たとえば、カラー画像において調整範囲２０６の範囲内に含まれる全ての色を指定色として自動的に指定するようにしても良い。このようにすれば、調整範囲２０６の範囲内の全体について、濃度を高くしたり、濃度を低くしたりすることができる。調整の自由度が増し、使い勝手が良い。
【０１５４】
また、第３実施例では、指定色の変換後の濃度が調整される調整範囲２０６が設定されるようにしたが、これに限定される必要は無い。たとえば、指定色の変換後の濃度が調整されない非調整範囲が設定されるようにしても良い。この場合、非調整範囲内においては、指定色の色変換後の濃度についての設定が適用されない。このため、指定色の色変換後の濃度についての設定を適用させたくない範囲が存在する場合には、当該範囲をユーザ自身によって自由に非調整範囲設定することができる。
【０１５５】
なお、上述の実施例では、コピージョブを例にあげて説明したが、本発明はスキャンジョブにも適用することができる。スキャンジョブが実行される場合には、指定色の色変換後の濃度についての設定が調整された読取画像データが生成される。
【０１５６】
また、上述の実施例では、ＲＧＢ表色系の色変換テーブルを例に挙げて説明したが、これに限定される必要は無い。たとえば、ＲＧＢ表色系の色変換テーブルに代えて、ＹＭＣＫ表色系の色変換テーブルを用いることもできる。
【０１５７】
さらに、上述の実施例で挙げた数値、画面および具体的な構成等は一例であり、実際の製品に応じて適宜変更することが可能である。また、上述の実施例で示したフロー図の各ステップは、同じ結果が得られるのであれば、処理される順番は適宜変更することが可能である。
【符号の説明】
【０１５８】
１０  …画像形成装置
１２  …ＣＰＵ
１４  …ＲＡＭ
２８  …記憶部（ＨＤＤ）
３０  …画像読取部
３２  …画像形成部
１００…コピー設定画面
１４０…調整部
【図１】
2019054357.tif 000003
【図２】
2019054357.tif 000004
【図３】
2019054357.tif 000005
【図４】
2019054357.tif 000006
【図５】
2019054357.tif 000007
【図６】
2019054357.tif 000008
【図７】
2019054357.tif 000009
【図８】
2019054357.tif 000010
【図９】
2019054357.tif 000011
【図１０】
2019054357.tif 000012
【図１１】
2019054357.tif 000013
【図１２】
2019054357.tif 000014
【図１３】
2019054357.tif 000015
【図１４】
2019054357.tif 000016
【図１５】
2019054357.tif 000017
【図１６】
2019054357.tif 000018
【図１７】
2019054357.tif 000019